(57)【要約】 【課題】放送内容を記録する放送記録装置を遠隔操作する電子機器のユーザが所望する放送内容を容易に記録させることを可能とすることである。 【解決手段】レコーダ１は、携帯電話装置２からその電話番号と放送番組検索用のキーワードを受信すると、このキーワードに該当する番組情報を抽出してその放送内容を記録するほか、受信したキーワードと電話番号とを記録された放送内容に対応付けて記憶させる。 【選択図】  図１
2008301319.tif 000002
【特許請求の範囲】
【請求項１】
放送内容を記録する放送記録装置であって、
この放送記録装置を遠隔操作する電子機器から送信される当該電子機器を識別する機器識別情報と放送番組検索用のキーワードとを受信する受信手段と、
この受信手段によって受信したキーワードに基づいて電子番組情報から所定の番組情報を抽出する抽出手段と、
この抽出手段によって抽出された番組情報が示す放送内容を記録する放送記録手段と、
前記受信手段によって受信したキーワードと機器識別情報とを前記放送記録手段によって記録された放送内容に対応付けて記憶する記憶手段と、
を具備したことを特徴とする放送記録装置。
【請求項２】
前記キーワードに基づいて抽出された番組情報が示す放送内容を識別する番組識別情報を前記機器識別情報が示す前記電子機器を宛先として送信する送信手段と、
この送信手段によって送信した番組識別情報の中から前記電子機器側で選択された番組識別情報を受信取得する取得手段と、
を更に設け、
前記放送記録手段は、前記取得手段によって得られた番組識別情報に基づいて放送内容を記録する、
ようにしたことを特徴とする請求項１記載の放送記録装置。
【請求項３】
前記抽出手段によって抽出された番組情報が示す放送内容が記録されたか否かを示す記録情報をその放送内容に対応付けて記憶されている前記機器識別情報が示す電子機器を宛先として送信する送信手段を更に設けた、
ことを特徴とする請求項１記載の放送記録装置。
【請求項４】
前記放送記録手段によって記録された放送内容を識別する番組識別情報をその放送内容に対応付けて記憶されている前記機器識別情報が示す電子機器を宛先として送信する送信手段を更に設けた、
ようにしたことを特徴とする請求項１記載の放送記録装置。
【請求項５】
前記送信手段によって送信された番組識別情報に応じて前記電子機器側で選択された番組識別情報を受信取得する取得手段と、
この取得手段によって得られた番組識別情報に基づいて放送内容を再生する再生手段と、
を更に設けたことを特徴とする請求項４記載の放送記録装置。
【請求項６】
前記送信手段によって送信された番組識別情報に応じて前記電子機器側で選択された番組識別情報を受信取得する取得手段と、
この取得手段によって得られた番組識別情報に基づいて放送内容を削除する削除手段と、
を更に設けたことを特徴とする請求項４記載の放送記録装置。
【請求項７】
前記送信手段によって送信された番組識別情報に応じて前記電子機器側で選択された番組識別情報を受信取得する取得手段と、
この取得手段によって得られた番組識別情報に基づいて放送内容を保護する保護手段と、
を更に設けたことを特徴とする請求項４記載の放送記録装置。
【請求項８】
前記送信手段によって送信された番組識別情報に応じて電子機器で選択され送信された番組識別情報を受信取得する取得手段と、
この取得手段によって得られた番組識別情報に基づいて放送内容を外部に送信する外部送信手段と、
を更に設けたことを特徴とする請求項４記載の放送記録装置。
【請求項９】
前記受信手段によって受信したキーワードと機器識別情報とを対応付けて記憶する記憶手段を更に設け、
前記電子機器からその機器識別情報とキーワード削除指示とを受信した場合に、前記記憶手段に記憶されているキーワードのうち、当該機器識別情報対応のキーワードを削除する、
ようにしたことを特徴とする請求項１記載の放送記録装置。
【請求項１０】
前記受信手段によって受信したキーワードと機器識別情報とを対応付けて記憶する記憶手段を更に設け、
前記電子機器からその機器識別情報とキーワード削除指示とを受信した場合に、この削除指示されたキーワードに対応付けて前記記憶手段に記憶されている機器識別情報が複数ある場合には、この複数の機器識別情報のうち、受信した機器識別情報を削除する、
ようにしたことを特徴とする請求項１記載の放送記録装置。
【請求項１１】
前記機器識別情報と対応付けて記憶されている放送内容を、当該機器識別情報が示す電子機器に送信する送信手段を更に設けた、
ことを特徴とする請求項１記載の放送記録装置。
【請求項１２】
放送内容を記録する放送記録装置を遠隔操作する電子機器であって、
当該電子機器を識別する機器識別情報と放送番組検索用のキーワードとを前記放送記録装置に対して送信する第１の送信手段と、
この第１の送信手段によって送信したキーワードに応じて前記放送記録装置から送信される放送内容を識別する番組識別情報を受信する受信手段と、
この受信手段によって受信した番組識別情報の中からいずれかの番組識別情報を選択する選択手段と、
この選択手段によって選択した番組識別情報を前記放送記録装置に対して送信する第２の送信手段と、
を具備したことを特徴とする電子機器。
【請求項１３】
前記番組識別情報は、前記第１の送信手段によって送信したキーワードに基づいて前記放送記録装置側で抽出された番組情報が示す放送内容を識別する番組識別情報であり、
前記第２の送信手段による番組識別情報の送信は、この番組識別情報に基づいて前記放送記録装置側で放送内容を記録させるために、前記選択手段によって選択された番組識別情報を送信する、
ようにしたことを特徴とする請求項１２記載の電子機器。
【請求項１４】
前記第２の送信手段によって送信した番組識別情報が示す放送内容が記録されたか否かを示す記録情報を前記放送記録装置から受信取得する取得手段を更に設けた、
ことを特徴とする請求項１２記載の電子機器。
【請求項１５】
前記番組識別情報は、前記第１の送信手段によって送信したキーワードに基づいて前記放送記録装置側で記録された放送内容を識別する番組識別情報である、
ことを特徴とする請求項１２記載の電子機器。
【請求項１６】
前記第２の送信手段による番組識別情報の送信は、この番組識別情報に基づいて前記放送記録装置側で記録された放送内容を再生させるために、前記選択手段によって選択された番組識別情報を送信する、
ようにしたことを特徴とする請求項１５記載の電子機器。
【請求項１７】
前記第２の送信手段による番組識別情報の送信は、この番組識別情報に基づいて前記放送記録装置側で記録された放送内容を削除させるために、前記選択手段によって選択された番組識別情報を送信する、
ようにしたことを特徴とする請求項１５記載の電子機器。
【請求項１８】
前記第２の送信手段による番組識別情報の送信は、この番組識別情報に基づいて前記放送記録装置側で記録された放送内容を保護させるために、前記選択手段によって選択された番組識別情報を送信する、
ようにしたことを特徴とする請求項１５記載の電子機器。
【請求項１９】
前記第２の送信手段による番組識別情報の送信は、この番組識別情報に基づいて前記放送記録装置側で記録された放送内容を外部に送信させるために、前記選択手段によって選択された番組識別情報を送信する、
ようにしたことを特徴とする請求項１５記載の電子機器。
【請求項２０】
前記第２の送信手段によって送信した番組識別情報に応じて前記放送記録装置側で記録された放送内容を当該放送記録装置から受信して再生する再生手段を更に設けた、
ことを特徴とする請求項１２記載の電子機器。
【請求項２１】
コンピュータに対して、
放送内容を記録する放送記録装置を遠隔操作する電子機器から送信される当該電子機器を識別する機器識別情報と放送番組検索用のキーワードとを受信する機能と、
前記受信したキーワードに基づいて電子番組情報から所定の番組情報を抽出する機能と、
前記抽出された番組情報が示す放送内容を記録する機能と、
前記受信したキーワードと機器識別情報とを前記記録された放送内容に対応付けて記憶管理する機能と、
を実現させるためのプログラム。
【請求項２２】
コンピュータに対して、
放送内容を記録する放送記録装置を遠隔操作する電子機器を識別する機器識別情報と放送番組検索用のキーワードとを前記放送記録装置に対して送信する機能と、
前記送信したキーワードに応じて前記放送記録装置から送信される放送内容を識別する番組識別情報を受信する機能と、
前記受信した番組識別情報の中からいずれかの番組識別情報を選択する機能と、
前記選択した番組識別情報を前記放送記録装置に対して送信する機能と、
を実現させるためのプログラム。
【発明の詳細な説明】
【技術分野】
【０００１】
この発明は、放送内容を記録する放送記録装置、この放送記録装置を遠隔操作する電子機器及びプログラムに関する。
【背景技術】
【０００２】
従来、テレビ放送やラジオ放送などの放送内容を記録（録画、録音）する放送記録装置に対して番組情報を送信することによって、この放送記録装置に予約記録（予約録画、予約録音）を実行させるようにした電子機器が提案されている。例えば、録画予約情報を提供するサービスステーションに携帯情報端末がアクセスして録画予約情報を収得したのち、この録画予約情報を録画・記録装置に対して送信すると、この録画・記録装置が受信した録画予約情報に基づいて録画予約をセットするようにしたコントロールシステムが開示されている（特許文献１参照）。
【特許文献１】特開２００１−３０９２８８号公報
【発明の開示】
【発明が解決しようとする課題】
【０００３】
しかしながら、上述したように、電子機器（携帯情報端末）を用いて録画予約をセットするコントロールシステムでは、ユーザが記録したい番組情報を逐一選択しなければならず、それだけ操作が煩雑化するようになる。また、電子機器を複数の人が持っているような場合には、誰の電子機器から送信された番組情報に基づいて記録された放送内容なのかが分からなくなってしまう。例えば、家庭内において父親、母親、子供のうち誰の電子機器によって記録された放送内容なのかが分からないため、自分の電子機器で記録させた放送内容を再生しようとしたときに、記録されている放送内容の中から自分が記録させた放送内容を探し出さなくてはならず、操作が煩雑化してしまう。
【０００４】
この発明の課題は、放送内容を記録する放送記録装置を遠隔操作する電子機器のユーザが所望する放送内容を容易に記録できるようにすることである。
【課題を解決するための手段】
【０００５】
請求項１記載の発明（第１の発明）は、放送内容を記録する放送記録装置であって、この放送記録装置を遠隔操作する電子機器から送信される当該電子機器を識別する機器識別情報と放送番組検索用のキーワードとを受信する受信手段と、この受信手段によって受信したキーワードに基づいて電子番組情報から所定の番組情報を抽出する抽出手段と、この抽出手段によって抽出された番組情報が示す放送内容を記録する放送記録手段と、前記受信手段によって受信したキーワードと機器識別情報とを前記放送記録手段によって記録された放送内容に対応付けて記憶する記憶手段とを具備したことを特徴とする。
更に、コンピュータに対して、上述した請求項１記載の発明に示した主要機能を実現させるためのプログラムを提供する（請求項２１記載の発明）。
【０００６】
なお、上述した請求項１記載の発明は次のようなものであってもよい。
前記キーワードに基づいて抽出された番組情報が示す放送内容を識別する番組識別情報を前記機器識別情報が示す前記電子機器を宛先として送信する送信手段と、この送信手段によって送信した番組識別情報の中から前記電子機器側で選択された番組識別情報を受信取得する取得手段とを更に設け、前記放送記録手段は、前記取得手段によって得られた番組識別情報に基づいて放送内容を記録する（請求項２記載の発明）。
【０００７】
前記抽出手段によって抽出された番組情報が示す放送内容が記録されたか否かを示す記録情報をその放送内容に対応付けて記憶されている前記機器識別情報が示す電子機器を宛先として送信する送信手段を更に設けた（請求項３記載の発明）。
【０００８】
前記放送記録手段によって記録された放送内容を識別する番組識別情報をその放送内容に対応付けて記憶されている前記機器識別情報が示す電子機器を宛先として送信する送信手段を更に設けた（請求項４記載の発明）。
【０００９】
請求項４記載の発明において、前記送信手段によって送信された番組識別情報に応じて前記電子機器側で選択された番組識別情報を受信取得する取得手段と、この取得手段によって得られた番組識別情報に基づいて放送内容を再生する再生手段とを更に設けてもよい（請求項５記載の発明）。また、請求項４記載の発明において、前記送信手段によって送信された番組識別情報に応じて前記電子機器側で選択された番組識別情報を受信取得する取得手段と、この取得手段によって得られた番組識別情報に基づいて放送内容を削除する削除手段とを更に設けてもよい（請求項６記載の発明）。
【００１０】
請求項４記載の発明において、前記送信手段によって送信された番組識別情報に応じて前記電子機器側で選択された番組識別情報を受信取得する取得手段と、この取得手段によって得られた番組識別情報に基づいて放送内容を保護する保護手段とを更に設けてもよい（請求項７記載の発明）。また、請求項４記載の発明において、前記送信手段によって送信された番組識別情報に応じて電子機器で選択され送信された番組識別情報を受信取得する取得手段と、この取得手段によって得られた番組識別情報に基づいて放送内容を外部に送信する外部送信手段とを更に設けてもよい（請求項８記載の発明）。
【００１１】
前記受信手段によって受信したキーワードと機器識別情報とを対応付けて記憶する記憶手段を更に設け、前記電子機器からその機器識別情報とキーワード削除指示とを受信した場合に、前記記憶手段に記憶されているキーワードのうち、当該機器識別情報対応のキーワードを削除する（請求項９記載の発明）。
【００１２】
前記受信手段によって受信したキーワードと機器識別情報とを対応付けて記憶する記憶手段を更に設け、前記電子機器からその機器識別情報とキーワード削除指示とを受信した場合に、この削除指示されたキーワードに対応付けて前記記憶手段に記憶されている機器識別情報が複数ある場合には、この複数の機器識別情報のうち、受信した機器識別情報を削除する（請求項１０記載の発明）。
【００１３】
前記機器識別情報と対応付けて記憶されている放送内容を、当該機器識別情報が示す電子機器に送信する送信手段を更に設けた（請求項１１記載の発明）。
【００１４】
請求項１２記載の発明（第２の発明）は、放送内容を記録する放送記録装置を遠隔操作する電子機器であって、当該電子機器を識別する機器識別情報と放送番組検索用のキーワードとを前記放送記録装置に対して送信する第１の送信手段と、この第１の送信手段によって送信したキーワードに応じて前記放送記録装置から送信される放送内容を識別する番組識別情報を受信する受信手段と、この受信手段によって受信した番組識別情報の中からいずれかの番組識別情報を選択する選択手段と、この選択手段によって選択した番組識別情報を前記放送記録装置に対して送信する第２の送信手段とを具備したことを特徴とする。
更に、コンピュータに対して、上述した請求項１２記載の発明に示した主要機能を実現させるためのプログラムを提供する（請求項２２記載の発明）。
【００１５】
なお、上述した請求項１２記載の発明は次のようなものであってもよい。
前記番組識別情報は、前記第１の送信手段によって送信したキーワードに基づいて前記放送記録装置側で抽出された番組情報が示す放送内容を識別する番組識別情報であり、前記第２の送信手段による番組識別情報の送信は、この番組識別情報に基づいて前記放送記録装置側で放送内容を記録させるために、前記選択手段によって選択された番組識別情報を送信する（請求項１３記載の発明）。
【００１６】
前記第２の送信手段によって送信した番組識別情報が示す放送内容が記録されたか否かを示す記録情報を前記放送記録装置から受信取得する取得手段を更に設けた（請求項１４記載の発明）。
【００１７】
前記番組識別情報は、前記第１の送信手段によって送信したキーワードに基づいて前記放送記録装置側で記録された放送内容を識別する番組識別情報である（請求項１５記載の発明）。
【００１８】
請求項１５記載の発明において、前記第２の送信手段による番組識別情報の送信は、この番組識別情報に基づいて前記放送記録装置側で記録された放送内容を再生させるために、前記選択手段によって選択された番組識別情報を送信するようにしてもよい（請求項１６記載の発明）。また、請求項１５記載の発明において、前記第２の送信手段による番組識別情報の送信は、この番組識別情報に基づいて前記放送記録装置側で記録された放送内容を削除させるために、前記選択手段によって選択された番組識別情報を送信するようにしてもよい（請求項１７記載の発明）。
【００１９】
請求項１５記載の発明において、前記第２の送信手段による番組識別情報の送信は、この番組識別情報に基づいて前記放送記録装置側で記録された放送内容を保護させるために、前記選択手段によって選択された番組識別情報を送信するようにしてもよい（請求項１８記載の発明）。また、請求項１５記載の発明において、前記第２の送信手段による番組識別情報の送信は、この番組識別情報に基づいて前記放送記録装置側で記録された放送内容を外部に送信させるために、前記選択手段によって選択された番組識別情報を送信するようにしてもよい（請求項１９記載の発明）。
【００２０】
前記第２の送信手段によって送信した番組識別情報に応じて前記放送記録装置側で記録された放送内容を当該放送記録装置から受信して再生する再生手段を更に設けた（請求項２０記載の発明）。
【発明の効果】
【００２１】
本発明によれば、第１の発明は、電子機器によって遠隔操作が可能な放送記録装置であって、電子機器のユーザに負担を負わせることなく、そのユーザが所望する放送内容を容易に記録することができるほか、記録データの詳細管理を実現することができる。
【００２２】
第２の発明は、放送記録装置を遠隔操作する電子機器であって、ユーザに負担を負わせることなく、簡単な操作で所望する放送内容を放送記録装置側に容易に記録させることができる。
【発明を実施するための最良の形態】
【００２３】
以下、図１〜図２０を参照して本発明の実施例を説明する。
この実施例は、放送記録装置としてレコーダ、電子機器として携帯電話装置に適用した場合を例示したもので、図１は、このレコーダ、携帯電話装置の通信ネットワークシステムを示したブロック図である。
レコーダ１は、例えば、家庭内に設置されたもので、放送内容を記録するハードディスクレコーダ、ＤＶＤレコーダなどによって構成され、映像データ、音声データを記録（録画、録音）するもので、携帯電話装置２によって遠隔操作されるようになっている。この場合、レコーダ１には、無線ＬＡＮ（構内通信網）通信機能及び赤外線通信機能が備えられており、このレコーダ１と携帯電話装置２とは、無線ＬＡＮ通信あるいは赤外線通信を介して接続されている。
【００２４】
また、レコーダ１は、テレビ局／ラジオ局３から最寄りの送信基地局４を経由してテレビ放送／ラジオ放送を受信するテレビ放送受信機能、ラジオ放送受信機能のほか、予約機能、記録機能、再生機能などが備えられていると共に、テレビ受信機などの出力装置５がケーブル接続されており、受信したテレビ放送、ラジオ放送を出力装置５から出力可能となっている。また、レコーダ１は、インターネット６を介してテレビ・ラジオ番組情報サーバ７に接続されており、このサーバ７にアクセスすることによってテレビ番組情報あるいはラジオ番組情報を受信取得するようにしている。なお、テレビ番組情報、ラジオ番組情報は、その放送受信時にテレビ放送信号／ラジオ放送信号に重畳されている番組情報をその放送信号から分離して取得するようにしてもよい。また、レコーダ１は、テレビ局／ラジオ局３からの放送を受信することができるほか、インターネットラジオのようにインターネット６を介してテレビ・ラジオ番組情報サーバ７から放送内容をダウンロード受信することもできる。
【００２５】
ここで、「番組情報」とは、一般的な放送種目を意味する場合に限らず、ＣＭ（コマーシャル）放送であってもよく、番組表全体あるいは番組表の中から抽出した複数番組の情報を示すもので、例えば、テレビ局チャンネル／ラジオ局周波数（以下、チャンネル／周波数と呼称する）、放送日時、放送内容（例えば、番組名、ジャンル、出演者名、歌手名、曲名、商品名、ブランド名、価格など）などの各種のデータを有する構成となっている。
【００２６】
携帯電話装置２は、通話機能、電子メール機能、インターネット接続機能（Ｗｅｂアクセス機能）などのほか、レコーダ１を遠隔操作する際に使用される無線ＬＡＮ通信機能、赤外線通信機能を備え、レコーダ１との間でデータの送受信を行う。また、携帯電話装置２は、無線通信網（公衆移動体通信網）８を構成する最寄りの基地局８Ａ、交換機８Ｂを介してインターネット６に接続されており、インターネット６を介してテレビ・ラジオ番組情報サーバ７から番組情報を受信取得することもできる。
【００２７】
携帯電話装置２は、テレビ放送／ラジオ放送の録画予約／録音予約をレコーダ１に対して指示する前段階として、ユーザ操作によって任意の“ジャンル”、“出演者名”、“曲名”などがキーワードとして指定された際に、このキーワードに該当する番組としてどのような番組が存在しているかを要求するために、当該キーワードと機器ＩＤ（自局の電話番号）とを対応付けてレコーダ１に送信するようにしている。つまり、録画予約／録音予約の対象となる番組を選択する選択候補を要求するために、携帯電話装置２は、“キーワード＋電話番号”をレコーダ１に送信し、レコーダ１は、携帯電話装置２から“キーワード＋電話番号”を受信すると、このキーワードと電話番号とを対応付けて記憶保持したのち、現在日時から所定期間内（例えば１週間以内）に放送される各番組に関する番組情報を取得し、この番組情報の中に当該キーワードに該当する全ての番組情報を抽出してその要求元の携帯電話装置２に対して送信するようにしている。
【００２８】
そして、携帯電話装置２は、レコーダ１から選択候補として送信された番組情報の中からユーザ操作によって任意の番組情報が選択指定されると、この番組情報に応じた予約指示をレコーダ１に対して送信する。レコーダ１は、受信した番組情報に基づいて予約情報を作成すると共に、この予約情報を記憶する。この状態において、予約情報を参照しながらその予約日時に達したか否かを監視し、予約日時に達したことを検出すると、その予約情報に基づいてテレビ放送あるいはラジオ放送の記録する動作を開始するほか、携帯電話装置２に予約を実行した旨を通知するようにしている。
【００２９】
図２は、レコーダ１の基本的な構成要素を示したブロック図である。
ＣＰＵ１０は、ＲＯＭ１１内の各種のプログラムに応じてこのレコーダ１の全体動作を制御する中央演算処理装置である。ＲＯＭ１１のプログラム領域には、後述する図８〜図１４に示す動作手順に応じて本実施例を実現するためのプログラムが格納されている。ＲＡＭ１２は、例えば、ワーク領域を有する内部メモリで、後述するキーワード記憶部Ｍ１１、予約情報記憶部Ｍ１２、記録データ記憶部Ｍ１３などが設けられている。なお、ＲＡＭ１２の内容は、必要に応じて不揮発性メモリ（例えば、フラッシュメモリ）にセーブされる。
【００３０】
レコーダ１には、その通信機能としてテレビ放送・ラジオ放送通信部１３、インターネット通信部１４、無線ＬＡＮ通信部１５、赤外線通信部１６が設けられている。テレビ放送・ラジオ放送通信部１３は、テレビ放送受信部とラジオ放送受信部とを有し、それらを個別に起動可能な構成で、テレビ局／ラジオ局３からの放送信号を受信した場合に、ＣＰＵ１０は、受信したテレビ放送／ラジオ放送を出力装置５に送信してその映像出力部５Ａ、音声出力部５Ｂから出力させる。インターネット通信部１４は、定期的あるいは必要に応じてインターネット６を介してテレビ・ラジオ番組情報サーバ７に接続して番組情報や放送内容を受信する通信部であり、無線ＬＡＮ通信部１５、赤外線通信部１６は、携帯電話装置２との間での通信部である。
【００３１】
表示部１７は、現在日時、番組情報、各種メッセージなどを案内表示する。操作部１８は、数値入力、文字入力、コマンド入力などを行うもので、ＣＰＵ１０は、操作部１８からの入力信号に応じた処理を実行する。ＲＴＣ（リアルタイムクロックモジュール）１９は、年月日時分秒の現在日時を計数する時計部を構成するもので、ＣＰＵ１０は、ＲＴＣ１９から現在日時を取得する。
【００３２】
図３は、携帯電話装置２の基本的な構成要素を示したブロック図である。
ＣＰＵ２０は、ＲＯＭ２１内の各種のプログラムに応じてこの携帯電話装置２の全体動作を制御する中央演算処理装置である。ＲＯＭ２１のプログラム領域には、後述する図８〜図１２、図１４に示す動作手順に応じて本実施例を実現するためのプログラムが格納されている。ＲＡＭ２２は、例えば、ワーク領域を有する内部メモリで、自局の電話番号を記憶する電話番号記憶部Ｍ２１のほか、後述する記録データ記憶部Ｍ２２などが設けられている。なお、ＲＡＭ２２の内容は、必要に応じて不揮発性メモリ（例えば、フラッシュメモリ）にセーブされる。
【００３３】
無線通信送受信部２３は、アンテナに接続された送受信部（ベースバンド部）の受信側から信号を取り込んで受信ベースバンド信号に復調したのちに、音声信号処理部２４を介して受話スピーカ２４Ａから音声出力させる。また、無線通信送受信部２３は、送話マイク２４Ｂから入力された音声データを音声信号処理部２４から取り込み、送信ベースバンド信号に符号化したのちに送受信部の送信側に与えられてアンテナから送信出力させる。
【００３４】
電子メール機能、インターネット接続機能、テレビ受信機能の動作時に、無線通信送受信部２３を介して受信取得した表示データは、表示部２５に与えられて表示出力される。無線ＬＡＮ通信部２６、赤外線通信部２７は、レコーダ１との間での通信部である。操作部２８は、ダイヤル入力、文字入力、コマンド入力などを行うもので、ＣＰＵ２０は、操作部２８からの入力信号に応じた処理を実行する。ＲＴＣ２９は、年月日時分秒の現在日時を計数する時計部を構成するもので、ＣＰＵ２０は、ＲＴＣ２９から現在日時を取得する。
【００３５】
図４は、レコーダ１側のキーワード記憶部Ｍ１１を説明するための図である。
キーワード記憶部Ｍ１１は、予約を指示する前の段階として、携帯電話装置２から“キーワード＋電話番号”を受信した際に、このキーワードと電話番号とを対応付けて記憶保持するもので、「キーワードＩＤ」、「キーワード」、「機器ＩＤ（電話番号）」の各項目を有している。「キーワードＩＤ」は、キーワード記憶部Ｍ１１に割り当てられた一連Ｎｏが記憶される項目である。「キーワード」は、受信したキーワードが記憶される項目で、図示の例では、「キーワード」として、“ヨーロッパサッカー”、“○○○○（出演者名）”、“××××××（曲名）”が記憶された場合を示している。「機器ＩＤ」は、受信した電話番号が記憶される項目である。なお、同じ内容のキーワードが複数の携帯電話装置２から送信された場合、例えば、家族の複数人から同じ内容のキーワードが送信された場合、この「キーワード」に対応する「機器ＩＤ」の項目には、その送信元を識別する情報として複数の電話番号が記憶される。
【００３６】
図５は、レコーダ１側の予約情報記憶部Ｍ１２を説明するための図である。
予約情報記憶部Ｍ１２は、携帯電話装置２側において、上述した選択候補の中からユーザ操作によって任意の番組情報が選択された際に、この番組情報に基づいて作成された予約情報などを記憶するもので、「予約ＩＤ」、「予約情報」、「機器ＩＤ（電話番号）」、「記録フラグ」、「記録ＩＤ」の各項目を有している。「予約ＩＤ」は、予約情報記憶部Ｍ１２に割り当てられた一連Ｎｏが記憶される項目である。「予約情報」は、予約内容を示すもので、テレビ放送かラジオ放送かを示す「種別」、テレビ局を指定するチャンネルあるいはラジオ局を指定する周波数を示す「チャンネル／周波数」のほか、「放送日時」、「番組名」などの項目を有している。
【００３７】
「機器ＩＤ」は、予約元の携帯電話装置２を識別する情報として電話番号を記憶する項目であり、同じ内容の予約が複数の携帯電話装置２から要求された場合には、この複数の電話番号が記憶される。「記録フラグ」は、予約どおりに番組録画／録音が完了したか否か（記録済みか否か）を示すフラグが記憶される項目で、“１”は記録済み、“０”は未記録を示している。「記録ＩＤ」は、記録フラグ＝１の場合にその記録データの格納先が記憶される項目である。
【００３８】
図６は、レコーダ１側の記録データ記憶部Ｍ１３を説明するための図である。
記録データ記憶部Ｍ１３は、予約実行によって記録された記録データを格納するもので、「記録ＩＤ」、「映像データ・音声データ」、「保護フラグ」の各項目を有している。「記録ＩＤ」は、記録データ記憶部Ｍ１３に割り当てられた一連Ｎｏが記憶される項目である。「映像データ・音声データ」は、記録データとしての実データが記憶される項目である。「保護フラグ」は、記録データを保護（プロテクト）するか否かを示すフラグが記憶される項目で、“１”は保護する、“０”は保護しないを示している。
【００３９】
図７は、携帯電話装置２側の記録データ記憶部Ｍ２２を説明するための図である。
記録データ記憶部Ｍ２２は、レコーダ１側で予約情報が記憶された際に、レコーダ１から送信される番組識別情報などを記憶するもので、「記録ＩＤ」、「番組識別情報」、「映像データ・音声データ」、「番組案内画像」の各項目を有している。「記録ＩＤ」は、記録データ記憶部Ｍ２２に割り当てられた一連Ｎｏが記憶される項目である。「番組識別情報」は、レコーダ１側で記録された番組を識別するための情報が記憶される項目であり、「予約ＩＤ」、「種別」、「チャンネル／周波数」、「放送日時」、「番組名」などの項目を有している。「映像データ・音声データ」は、レコーダ１から映像データ、音声データが送信されてきた場合に実データ（記録データ）が記憶される項目である。「番組案内画像」は、予約した番組が記録された場合に、その番組の概要を案内するための画像が記憶される項目で、レコーダ１から番組識別情報と共に送信されたサムネイル画像などである。
【００４０】
次に、この実施例におけるレコーダ１及び携帯電話装置２の動作概念を図８〜図１４に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。なお、図８〜図１４は、レコーダ１、携帯電話装置２の全体動作のうち、本実施例の特徴部分の動作概要を示したフローチャートであり、この図８〜図１４のフローから抜けた際には、全体動作のフロー（図示省略）に戻る。
【００４１】
図８は、テレビ放送／ラジオ放送の録画予約／録音予約を行うために、レコーダ１と携帯電話装置２との間で実行される予約処理Ａを示したフローチャートである。
先ず、携帯電話装置２は、予約処理Ａの実行がユーザ操作によって指示されると、キーワードの指定を促すキーワード指定画面を表示させる（ステップＡ１）。図１５は、このキーワード指定画面を例示した図で、この画面内にはキーワード入力域Ａ１と送信ボタンＢ１が設けられている。
【００４２】
なお、図示の例では、キーワードとして番組のジャンルを示す“ヨーロッパサッカー”を入力指定した場合を示している。いま、ユーザ操作によって“ジャンル”、“出演者名”、“曲名”などをキーワードとして任意に入力指定する操作と共に、この画面内の送信ボタンＢ１が操作されると（ステップＡ２）、電話番号記憶部Ｍ２１から自局の電話番号を機器ＩＤとして読み出し、この電話番号とキーワードとを対応付けてレコーダ１に送信する（ステップＡ３）。すなわち、録画予約あるいは録音予約の対象となる番組を選択する選択候補の送信を要求するために、携帯電話装置２は、その要求元を示す電話番号とキーワードとを対応付けた“キーワード＋電話番号”をレコーダ１に対して送信する。
【００４３】
レコーダ１は、携帯電話装置２から“キーワード＋電話番号”を受信すると（ステップＡ１１でＹＥＳ）、このキーワードと電話番号とを対応付けてキーワード記憶部Ｍ１１に記憶したのち（ステップＡ１２）、ＲＴＣ１９から現在日時を読み出し、電子番組情報（ＥＰＧ）から現在日時から所定期間内に放送される各番組の番組情報を取得する（ステップＡ１３）。ここで、レコーダ１は、テレビ放送信号／ラジオ放送信号に重畳されている番組情報を分離して取得したり、インターネット６を介してテレビ・ラジオ番組情報サーバ７から番組情報を取得したりする。この番組情報の中に受信したキーワードに該当する全ての番組情報を抽出する（ステップＡ１４）。すなわち、番組情報の中から番組ＩＤ、番組名、放送日時、出演者名、ジャンルなど、番組の概要が分かる情報だけを抽出する。そして、この抽出情報を番組識別情報とし、この番組識別情報と予約確認指示とを対応付けた“予約確認指示＋番組識別情報”を当該電話番号が示す携帯電話装置２宛に送信する（ステップＡ１５）。なお、この予約確認指示は、番組予約を行うか否かをユーザに問い合わせるための確認指示である。
【００４４】
携帯電話装置２は、レコーダ１から“予約確認指示＋番組識別情報”を受信すると（ステップＡ４でＹＥＳ）、それを表示させる（ステップＡ５）。図１６は、“予約確認指示＋番組識別情報”の表示画面を例示した図で、その上部側には番組識別情報の一覧領域Ａ２が設けられ、また、下部側には予約確認指示領域Ａ３のほか、チェックボタンＢ２、送信ボタンＢ３が設けられている。なお、図示の例において、番組識別情報の一覧領域Ａ２には、番組の選択を促すメッセージのほか、キーワードに該当する番組毎にその番組識別情報としてその番組名、放送日時が一覧表示されている。なお、各番組識別情報には、対応するチェックボックスが設けられ、また、予約確認指示領域Ａ３には、選択した番組の記録有無、つまり、録画予約／録音予約を行うか否かを指示する“記録する”／“記録しない”の指示項目が設けられている。
【００４５】
ここで、記録したい番組を選択する場合には、番組識別情報の選択操作を行うが（ステップＡ６）、その際、チェックボタンＢ２を操作して、記録したい番組に対応付けられているチェックボックス内にチェック（×印）を入れて“記録する”の指示項目を操作する。なお、上述の場合とは逆に、記録したくない番組に対応するチェックボックス内にチェックを入れて“記録しない”の指示項目を操作するようにしもよい。このようにして番組識別情報を任意に選択したのち、送信ボタンＢ３が操作されると、自局の電話番号と選択された番組識別情報とを対応付けた“電話番号＋番組識別情報”をレコーダ１に送信する（ステップＡ７）。なお、選択された番組識別情報には、“記録する”／“記録しない”が対応付けられている。
【００４６】
レコーダ１は、携帯電話装置２から“電話番号＋番組識別情報”を受信すると（ステップＡ１６でＹＥＳ）、番組識別情報に“記録する”／“記録しない”を参照することによって記録対象の番組識別情報を特定したのち、この番組識別情報に基づいて「種別」、「チャンネル／周波数」、「放送日時」、「番組名」などからなる予約情報を作成する（ステップＡ１７）、そして、この予約情報を当該電話番号（機器ＩＤ）と共に、予約情報記憶部Ｍ１２に追加記憶させる（ステップＡ１８）。この場合、予約情報記憶部Ｍ１２に同一の予約情報が既に記憶されている場合には、その予約情報に対応して電話番号だけを追加記憶させる。
【００４７】
図９は、テレビ放送／ラジオ放送の録画予約／録音予約を行うために、レコーダ１と携帯電話装置２との間で実行される予約処理Ｂを示したフローチャートである。
なお、上述した予約処理Ａは、携帯電話装置２から“キーワード＋電話番号”をレコーダ１に送信すると、レコーダ１は、即座に、“予約確認指示＋番組識別情報”を送信するようにしたが、この予約処理Ｂでは、１日に１回あるいは１週間に１回のような予約処理タイミングに到達したか否かを監視しており、この予約処理タイミングに到達した際に、“予約確認指示＋番組識別情報”を送信するようにしたものである。
【００４８】
すなわち、上述した予約処理Ａと同様に、携帯電話装置２は、“キーワード＋電話番号”をレコーダ１に送信すると（ステップＢ１）、レコーダ１は、携帯電話装置２からキーワード＋電話番号”を受信して、このキーワードと電話番号とを対応付けてキーワード記憶部Ｍ１１に記憶する（ステップＢ１１）。なお、同一のキーワードがキーワード記憶部Ｍ１１に既に記憶されている場合には、この既存のキーワードに対応してその電話番号を記憶させるようにしている。
【００４９】
この状態において、レコーダ１は、１日に１回あるいは１週間に１回などの予約処理タイミングに到達したか否かを監視し、このタイミングに到達した際には（ステップＢ１２でＹＥＳ）、以下、上述の予約処理Ａと同様の処理を実行する。すなわち、現在日時から所定期間内に放送される各番組に関する番組情報を取得したのち（ステップＢ１３）、この番組情報の中に当該キーワードに該当する全ての番組情報を抽出する（ステップＢ１４）。そして、この抽出情報を番組識別情報として、この番組識別情報と予約有無を問い合わせる予約確認指示とを対応付けた“予約確認指示＋番組識別情報”を当該電話番号が示す携帯電話装置２宛に送信する（ステップＢ１５）。
【００５０】
携帯電話装置２においても上述の予約処理Ａと同様に、レコーダ１から“予約確認指示＋番組識別情報”を受信すると（ステップＢ２でＹＥＳ）、それを表示させる（ステップＢ３）。ここで、番組識別情報の選択操作が行われると（ステップＢ４）、自局の電話番号と選択された番組識別情報とを対応付けた“電話番号＋番組識別情報”をレコーダ１に送信する（ステップＢ５）。なお、この場合においても記録したい番組識別情報を選択する場合に限らず、記録したくない番組識別情報を選択するようにしもよい。
【００５１】
レコーダ１は、携帯電話装置２から“電話番号＋番組識別情報”を受信すると（ステップＢ１６でＹＥＳ）、記録対象の番組識別情報を特定したのち、この番組識別情報に基づいて予約情報を作成すると共に（ステップＢ１７）、この予約情報を当該電話番号（機器ＩＤ）と共に予約情報記憶部Ｍ１２に追加記憶させる（ステップＢ１８）。
【００５２】
図１０は、レコーダ１と携帯電話装置２との間において予約情報に応じて実行される記録処理を示したフローチャートである。
先ず、レコーダ１は、ＲＴＣ１９での現在日時の更新時に（ステップＣ１でＹＥＳ）、この現在日時に基づいて予約情報記憶部Ｍ１２を検索し、現在日時に一致する予約情報（予約日時）の有無を調べる（ステップＣ２）。その結果、該当する予約情報が無ければ（ステップＣ２でＮＯ）、このフローから抜けるが、該当する予約情報が有れば（ステップＣ２でＹＥＳ）、その予約情報内の「種別」を参照し、この「種別」に応じてテレビ放送・ラジオ放送通信部１３を起動してテレビ放送あるいはラジオ放送を受信したのち（ステップＣ３）、この放送内容を記録データとして記録データ記憶部Ｍ１３に記憶させる（ステップＣ４）。
【００５３】
そして、この予約情報に対応する「記録フラグ」に“１”を記憶させて記録済みであることを示すほか（ステップＣ５）、この予約情報に対応する「記録ＩＤ」に当該記録データの格納先を記憶させる（ステップＣ６）。更に、テレビ放送を受信して記録した場合にはその番組の先頭画像、タイトル画像、代表画像などからそのサムネイル画像を番組案内画像として作成し、また、ラジオ放送を受信して記録した場合にはそのタイトルなどを掲載した番組案内画像を作成する（ステップＣ７）。
【００５４】
そして、当該予約情報が記憶されている予約情報記憶部Ｍ１２から「予約ＩＤ」を読み出すと共に、当該予約情報から「種別」、「チャンネル／周波数」、「放送日時」、「番組名」などを読み出し、この「予約ＩＤ」、「種別」、「チャンネル／周波数」、「放送日時」、「番組名」を番組識別情報とし、この番組識別情報と番組案内画像とを対応付けた“番組識別情報＋番組案内画像”をその予約情報に対応する「機器ＩＤ」内の電話番号が示す携帯電話装置２宛に送信する（ステップＣ８）。この場合、予約情報記憶部Ｍ１２において、当該予約情報に対応する「機器ＩＤ」に複数の電話番号が記憶されている場合には、各電話番号が示す携帯電話装置２宛に“番組識別情報＋番組案内画像”を送信する。
【００５５】
携帯電話装置２は、レコーダ１から“番組識別情報＋番組案内画像”を受信すると（ステップＣ１１でＹＥＳ）、それを記録データ記憶部Ｍ２２に記憶させる（ステップＣ１２）。この場合、番組識別情報を構成する「予約ＩＤ」、「種別」、「チャンネル／周波数」、「放送日時」、「番組名」などを対応する項目位置に記憶させると共に、これに対応して番組案内画像を記憶させる。そして、この“番組識別情報＋番組案内画像”を表示させる（ステップＣ１３）。図１７は、“番組識別情報＋番組案内画像”の表示画面を例示した図で、予約どおりに番組が記録されたことを示すメッセージのほか、その番組名、放送日時、チャンネルなどが表示される。なお、この画面内の確認ボタンＢ４が操作されると、当該画面を消去して待受画面に戻る。あるいは、後述する図１２のように、この番組の再生処理を行うようにしても良い。
【００５６】
図１１は、レコーダ１と携帯電話装置２との間において実行される記録状況確認処理を示したフローチャートである。
先ず、携帯電話装置２は、予約どおりに記録されたかを確認するための記録状況確認操作が行われると（ステップＤ１）、電話番号記憶部Ｍ２１から自局の電話番号を機器ＩＤとして読み出し、この電話番号と記録状況確認指示とを対応付けて“電話番号＋記録状況確認指示”をレコーダ１に送信する（ステップＤ２）。
【００５７】
レコーダ１は、携帯電話装置２から“電話番号＋記録状況確認指示”を受信すると（ステップＤ１１）、この電話番号に基づいて予約情報記憶部Ｍ１２を検索し、該当する「予約情報」及び「記録フラグ」を読み出す（ステップＤ１２）。この場合、「予約情報」として、例えば、「番組名」、「放送日時」を読み出す。そして、この“予約情報＋記録フラグ”を当該電話番号が示す携帯電話装置２宛に送信する（ステップＤ１３）
【００５８】
携帯電話装置２は、レコーダ１から“予約情報＋記録フラグ”を受信すると（ステップＤ３でＹＥＳ）、これを表示させる（ステップＤ４）。図１８は、“予約情報＋記録フラグ”の表示画面を例示した図で、予約情報（番組名、放送日時）毎にその記録フラグの内容が表示される。なお、図中、「済」は記録フラグが“１”で記録済みであることを示し、「未」は記録フラグが“０”で記録していないことを示している。なお、この画面内の確認ボタンＢ５が操作されると、当該画面を消去して待受画面に戻る。
【００５９】
図１２及び図１３は、レコーダ１と携帯電話装置２との間において実行される記録データ制御処理を示したフローチャートであり、記録データの再生処理・保護処理・送信処理・削除処理のいずれかを実行する。
先ず、携帯電話装置２は、記録データの再生・保護・送信・削除のうち、そのいずれかを指示する指示操作が行われると（ステップＥ１）、記録データ記憶部Ｍ２２から各番組識別情報を読み出して（ステップＥ２）、それを一覧表示させる（ステップＥ３）。
【００６０】
図１９は、削除操作が行われた場合における番組識別情報の一覧表示画面を例示した図で、その上部側には番組識別情報の一覧領域Ａ４が設けられ、下部側には削除確認指示領域Ａ５のほか、チェックボタンＢ６、送信ボタンＢ７が設けられている。なお、図示の例において、番組識別情報の一覧領域Ａ４には、番組の選択を促すメッセージのほか、キーワード“ヨーロッパサッカー”に該当する番組毎にその番組識別情報としてその番組名、放送日時が一覧表示されている。なお、各番組識別情報には対応するチェックボックスが設けられ、また、削除確認指示領域Ａ５には、選択した番組識別情報の削除有無を示す“削除する”／“削除しない”の指示項目が設けられている。
【００６１】
ここで、番組識別情報を選択するためにチェックボタンＢ６を操作して、その番組識別情報に対応するチェックボックス内にチェック（×印）を入れたのち、例えば、“削除する”／“削除しない”などの指示項目を操作する（ステップＥ４）。なお、上述の場合とは逆に、削除したくない番組識別情報に対応するチェックボックス内にチェックを入れて“削除しない”の項目を操作するようにしもよい。すなわち、再生／保護／送信／削除したい記録データの番組識別情報を選択する場合に限らず、逆に、再生／保護／送信／削除したくない記録データの番組識別情報を選択するようにしてもよい。
【００６２】
このようにして番組識別情報が選択されたのち、送信ボタンＢ７が操作されると、電話番号記憶部Ｍ２１から自局の電話番号を機器ＩＤとして読み出し、この電話番号と選択された番組識別情報と操作内容とを対応付けた“電話番号＋番組識別情報＋操作内容”をレコーダ１に送信する（ステップＥ５）。ここで、番組識別情報は、「予約ＩＤ」を含む情報であり、また、操作内容は、再生操作、保護操作、送信操作、削除操作のうち、そのいずれかの操作が行われたかを示す情報である。
【００６３】
レコーダ１は、携帯電話装置２から“電話番号＋番組識別情報＋操作内容”を受信すると（ステップＥ１１でＹＥＳ）、再生／保護／送信／削除したい番組識別情報を特定したのち、この番組識別情報（予約ＩＤ）に基づいて予約情報記憶部Ｍ１２から対応する「記録ＩＤ」を読み出すと共に、この「記録ＩＤ」に基づいて記録データ記憶部Ｍ１３を検索して該当する記録データを読み出す（ステップＥ１２）。そして、この番組識別情報（予約ＩＤ）に基づいて予約情報記憶部Ｍ１２を検索し、この「予約ＩＤ」に対応する「機器ＩＤ」には、受信した電話番号が含まれているか、つまり、“電話番号＋番組識別情報＋操作内容”は、その予約を行った正規なユーザから送信されたものかを調べる（ステップＥ１３）。ここで、受信した電話番号が含まれていなければ（ステップＥ１３でＮＯ）、今回の再生操作／保護操作／送信操作／削除操作を無効とするために、再生／保護／送信／削除不可を示すメッセージを表示させるが（ステップＥ１４）、受信した電話番号が含まれていれば（ステップＥ１３でＹＥＳ）、図１３のフローに移る。
【００６４】
図１３において、先ず、受信した操作内容を判別し（ステップＥ１５〜Ｅ１７）、それが“再生”であれば（ステップＥ１５でＹＥＳ）、上述のステップＥ１２で読み出した記録データを再生させるために、その映像データ、音声データを出力装置５に送って出力させる（ステップＥ１８）。また、受信した操作内容が“保護”であれば（ステップＥ１６でＹＥＳ）、記録データ記憶部Ｍ１３をアクセスし、この記録データに対応する「保護フラグ」に“１”をセットする（ステップＥ１９）。
【００６５】
また、受信した操作内容が“送信”であれば（ステップＥ１７でＹＥＳ）、予約情報記憶部Ｍ１２をアクセスし、この記録データに対応する「機器ＩＤ」のうち、受信した電話番号が示す携帯電話装置２宛に記録データを送信する（ステップＥ２０）。ここで、携帯電話装置２側においては、レコーダ１からの記録データを受信すると（図１２のステップＥ６でＹＥＳ）、この記録データを出力対象として記憶したのち（ステップＥ７）、この記録データを映像出力、音声出力させる（ステップＥ８）。
【００６６】
また、レコーダ１は、受信した操作内容が“削除”であれば（ステップＥ１７でＮＯ）、受信した番組識別情報（予約ＩＤ）に基づいて予約情報記憶部Ｍ１２を検索し、この「予約ＩＤ」に対応する「機器ＩＤ」には、受信した電話番号以外の他の電話番号も含まれているかを調べる（ステップＥ２１）。ここで、他の電話番号が含まれていなければ（ステップＥ２１でＮＯ）、受信した番組識別情報（予約ＩＤ）に対応する「記録ＩＤ」を予約情報記憶部Ｍ１２から読み出し、この「記録ＩＤ」に基づいて記録データ記憶部Ｍ１３を検索し、この「記録ＩＤ」に対応する「保護フラグ」には“０”がセットされているかを調べる（ステップＥ２５）。
【００６７】
いま、「保護フラグ」が“０”であれば（ステップＥ２５でＹＥＳ）、記録データ記憶部Ｍ１３から対応する記録データを削除すると共に（ステップＥ２６）、予約情報記憶部Ｍ１２から対応する予約情報を削除するが（ステップＥ２７）、「保護フラグ」が“１”であれば（ステップＥ２５でＮＯ）、記録データ及び予約情報を削除せず、削除不可表示を行う（ステップＥ２８）。なお、「保護フラグ」が“１”であっても、保護されている記録データを削除するか否かをユーザに問い合わせる確認メッセージを出力したのち、記録データ及び予約情報をユーザ指示に応じて削除するようにしてもよい。この場合、暗証番号の照合など、ユーザ認証処理を前提として削除するようにしてもよい。
【００６８】
また、予約情報記憶部Ｍ１２の「機器ＩＤ」に、受信した電話番号以外の電話番号も含まれている場合に（ステップＥ２１でＹＥＳ）、対応する「保護フラグ」が“０”であれば（ステップＥ２２でＹＥＳ）、その「機器ＩＤ」の中から受信した電話番号のみを削除するが（ステップＥ２３）、「保護フラグ」が“１”であれば（ステップＥ２２でＮＯ）、受信した電話番号を削除せず、削除不可表示を行う（ステップＥ２４）。なお、この場合においても、保護されている記録データを削除するか否かをユーザに問い合わせる確認メッセージを出力したのち、受信した電話番号をユーザ指示に応じて削除するようにしてもよい。
【００６９】
図１４は、レコーダ１と携帯電話装置２との間において実行されるキーワード削除処理を示したフローチャートである。
先ず、携帯電話装置２は、キーワード削除処理が指定されると、削除キーワード指定画面を表示させる（ステップＦ１）。図２０は、この削除キーワード指定画面を例示した図で、削除するキーワードの入力指定を促すメッセージ表示に応じてキーワードが入力指定されたのち、この画面内の送信ボタンＢ８が操作されると（ステップＦ２）、電話番号記憶部Ｍ２１から自局の電話番号を機器ＩＤとして読み出し、この電話番号とキーワード削除指示と入力指定されたキーワードとを対応付けた“電話番号＋キーワード削除指示＋キーワード”をレコーダ１に送信する（ステップＦ３）。
【００７０】
レコーダ１は、携帯電話装置２から“電話番号＋キーワード削除指示＋キーワード”を受信すると（ステップＦ１１）、受信したキーワードに基づいてキーワード記憶部Ｍ１１を検索して対応する「機器ＩＤ」を読み出し（ステップＦ１２）、この「機器ＩＤ」には、受信した電話番号が含まれているか、つまり、“電話番号＋キーワード削除指示＋キーワード”は、その予約を行った正規なユーザから送信されたものかを調べる（ステップＦ１３）。
【００７１】
いま、受信した電話番号が含まれていなければ（ステップＦ１３でＮＯ）、削除不可表示を行うが（ステップＦ１５）、受信した電話番号が含まれていれば（ステップＦ１４でＹＥＳ）、更に、この「機器ＩＤ」には、受信した電話番号以外の他の電話番号も含まれているかを調べる（ステップＦ１４）。ここで、他の電話番号が含まれていないことを条件に（ステップＦ１４でＮＯ）、対応する「キーワード」、「機器ＩＤ」を削除するが（ステップＦ１７）、他の電話番号が含まれていれば（ステップＦ１４でＹＥＳ）、この「機器ＩＤ」の中から受信した電話番号のみを削除する（ステップＦ１６）。
【００７２】
以上のように、この実施例においては、レコーダ１は、携帯電話装置２からその電話番号と放送番組検索用のキーワードを受信すると、このキーワードに該当する番組情報を抽出してその放送内容を記録するほか、受信したキーワードと電話番号とを記録された放送内容に対応付けて記憶するようにしたので、携帯電話装置２側でキーワードを指定するだけで、レコーダ１にそのキーワードに該当する番組の放送内容を記録させることができる。これによって所望する番組が何時、何処の局で放送されるのかを知らなくても、その番組を容易に探し出して記録させることができるほか、レコーダ１側にあっては、どのようなキーワードを元に記録したのか、どの携帯電話装置２から指示を受けて記録したのかを管理することができ、記録データの詳細管理が可能となる。
【００７３】
レコーダ１は、受信したキーワードに該当する番組情報の中からその番組名、ジャンルなど、番組の概要が分かる情報を番組識別情報として携帯電話装置２に送信すると、携帯電話装置２は、この番組識別情報の中から任意の番組識別情報を選択してレコーダ１に送信し、レコーダ１は、この番組識別情報に基づいて放送内容を記録するようにしたので、携帯電話装置２のユーザにあっては、記録したい放送内容あるいは記録したくない放送内容を携帯電話装置２側で自由かつ容易に選択することができる。
【００７４】
レコーダ１は、予約情報に対応して予約情報記憶部Ｍ１２に記憶されている「記録フラグ」を携帯電話装置２に送信するようにしたので、ユーザにあっては、所望する番組がその予約どおりに記録されたか否かを携帯電話装置２側で確認することができる。
【００７５】
レコーダ１は、予約情報に応じて放送内容を記録した場合に、その番組識別情報を携帯電話装置２に送信するようにしたので、放送内容を記録した時点で予約どおりに記録されたか否かを携帯電話装置２側で確認することができる。
【００７６】
レコーダ１は、記録データ制御処理時に操作内容として“再生”が指定された場合に、携帯電話装置２側で選択された番組識別情報が示す記録データを出力装置５に送って出力させるようにしたので、再生したい、あるいは再生したくない記録データを携帯電話装置２側で自由かつ容易に選択することができる。
【００７７】
レコーダ１は、記録データ制御処理時に操作内容として“削除”が指定された場合に、携帯電話装置２側で選択された番組識別情報が示す記録データを削除するようにしたので、削除したい、あるいは削除したくない記録データを携帯電話装置２側で自由かつ容易に選択することができる。
【００７８】
レコーダ１は、記録データ制御処理時に操作内容として“保護”が指定された場合に、携帯電話装置２側で選択された番組識別情報が示す記録データを保護するようにしたので、保護したい、あるいは保護したくない記録データを携帯電話装置２側で自由かつ容易に選択することができる。
【００７９】
レコーダ１は、記録データ制御処理時に操作内容として“送信”が指定された場合に、携帯電話装置２側で選択された番組識別情報が示す記録データを外部に送信するようにしたので、外部に送信したい、あるいは送信したくない記録データを携帯電話装置２側で自由かつ容易に選択することができる。
【００８０】
レコーダ１は、キーワード削除処理時に携帯電話装置２から“電話番号＋キーワード削除指示＋キーワード”を受信した場合に、キーワード記憶部Ｍ１１から当該電話番号対応のキーワードを削除するようにしたから、削除したい、あるいは削除したくないキーワードを携帯電話装置２側で自由かつ容易に選択することができる。
【００８１】
ここで、削除指示されたキーワードに対応付けてキーワード記憶部Ｍ１１に複数の電話番号が記憶されている場合には、この複数の電話番号のうち、受信した電話番号を削除するようにしたから、削除指示を行ったユーザ自身の電話番号だけを削除することができる。
【００８２】
レコーダ１は、電話番号に対応付けて記憶されている記録データを当該電話番号が示す携帯電話装置２を宛先として送信するようにしたので、ユーザは、自らの携帯電話装置２から送信したキーワードに応じて記録された記録データを携帯電話装置２側で確認することができる。
【００８３】
他方、携帯電話装置２は、ユーザ操作によって指定されたキーワードキーワードに基づいてレコーダ１側で抽出された番組識別情報の中からいずれかの番組識別情報が選択されると、この番組識別情報をレコーダ１に送信するようにしたので、ユーザにあっては番組識別情報を選択するだけでその番組を記録させることができ、ユーザに負担を負わせることなく、簡単な操作で所望する放送の記録が可能となる。
【００８４】
携帯電話装置２は、キーワードを送信したのち、レコーダ１から当該キーワードに応じて抽出された番組識別情報を受信すると、この番組識別情報の中から任意の番組識別情報が記録対象として選択されると、この番組識別情報をレコーダ１に送信するようにしたので、ユーザにあっては、記録したい放送内容あるいは記録したくない放送内容を携帯電話装置２側で自由かつ容易に選択することができる。
【００８５】
携帯電話装置２は、予約情報に対応して記憶されている「記録フラグ」をレコーダ１側から受信するようにしたので、ユーザにあっては、所望する番組がその予約どおりに記録されたか否かを携帯電話装置２側で確認することができる。
【００８６】
携帯電話装置２は、レコーダ１側で予約情報に応じた放送内容が記録された場合に、その番組識別情報を受信するようにしたので、放送内容を記録した時点で予約どおりに記録されたか否かを携帯電話装置２側で確認することができる。
【００８７】
携帯電話装置２は、記録データ制御処理時に操作内容として“再生”を指定する際に、再生したい、あるいは再生したくない記録データを示す番組識別情報を携帯電話装置２側で自由かつ容易に選択することができる。
【００８８】
また、記録データ制御処理時に操作内容として“削除”を指定する際に、削除したい、あるいは削除したくない記録データを示す番組識別情報を携帯電話装置２側で自由かつ容易に選択することができる。
【００８９】
また、記録データ制御処理時に操作内容として“保護”を指定する際に、保護したい、あるいは保護したくない記録データを示す番組識別情報を携帯電話装置２側で自由かつ容易に選択することができる。
【００９０】
また、記録データ制御処理時に操作内容として“送信”を指定する際に、外部に送信したい、あるいは送信したくない記録データを示す番組識別情報を携帯電話装置２側で自由かつ容易に選択することができる。
【００９１】
携帯電話装置２は、自局の電話番号に対応付けて記憶されている記録データをレコーダ１から受信するようにしたので、携帯電話装置２側でその記録データを確認することができる。
【００９２】
なお、上述した実施例においては、レコーダ１と携帯電話装置２とを無線ＬＡＮ通信あるいは赤外線通信を介して接続するようにしたが、それらの通信手段としては、Bluetooth通信、有線ケーブル接続であってもよい。
【００９３】
上述した実施例においては、予約情報に基づいて番組を記録した際に、この「予約ＩＤ」、「放送日時」、「番組名」などを含む番組識別情報と番組案内画像とを対応付けて送信するようにしたが、番組案内画像は番組識別情報の一部として送信するようにしてもよい。つまり、番組識別情報は、「予約ＩＤ」、「放送日時」、「番組名」などのほか、番組案内画像を含む構成としてもよい。また、番組案内画像は、サムネイル画像（静止画）に限らず、テレビ放送の番組内容をコンパクトにまとめたダイジェスト動画などであってもよい。
【００９４】
上述した実施例においては、複数人から同じ内容のキーワードが送信された場合、キーワード記憶部Ｍ１１には、この「キーワード」に対応する「機器ＩＤ」の項目に、その送信元を識別するための情報として複数の電話番号を記憶するようにしたが、同じ内容のキーワードであっても電話番号毎に記憶するようにしてもよい。このことは、予約情報記憶部Ｍ１２についても同様であり、同じ内容の予約情報であっても電話番号毎に記憶するようにしてもよい。
【００９５】
レコーダ１側の記録データ記憶部Ｍ１３は、「記録ＩＤ」、「映像データ・音声データ」、「保護フラグ」の各項目を有する構成としたが、この「保護フラグ」は、「機器ＩＤ」毎に設けるようにしてもよい。
その他、携帯電話装置に限らず、例えば、ＰＤＡ、電子カメラ、電子腕時計、音楽再生機などの電子機器であっても同様に適用可能である。また、上述した実施例においては、機器ＩＤとして電話番号を例示したが、携帯電話装置２が備える電子メール機能のメールアドレスや、携帯電話装置２が製造された際に割り振られた製造番号など、電子機器を識別可能な情報であれば、任意である。
【図面の簡単な説明】
【００９６】
【図１】放送記録装置としてレコーダ、電子機器として携帯電話装置に適用した場合の通信ネットワークシステムを示したブロック図。
【図２】レコーダ１の基本的な構成要素を示したブロック図。
【図３】携帯電話装置２の基本的な構成要素を示したブロック図。
【図４】レコーダ１側のキーワード記憶部Ｍ１１を説明するための図。
【図５】レコーダ１側の予約情報記憶部Ｍ１２を説明するための図。
【図６】レコーダ１側の記録データ記憶部Ｍ１３を説明するための図。
【図７】携帯電話装置２側の記録データ記憶部Ｍ２２を説明するための図。
【図８】テレビ放送／ラジオ放送の録画予約／録音予約を行うために、レコーダ１と携帯電話装置２との間で実行される予約処理Ａを示したフローチャート。
【図９】テレビ放送／ラジオ放送の録画予約／録音予約を行うために、レコーダ１と携帯電話装置２との間で実行される予約処理Ｂを示したフローチャート。
【図１０】レコーダ１と携帯電話装置２との間において予約情報に応じて実行される記録処理を示したフローチャート。
【図１１】レコーダ１と携帯電話装置２との間において実行される記録状況確認処理を示したフローチャート。
【図１２】レコーダ１と携帯電話装置２との間において実行される記録データ制御処理を示したフローチャート。
【図１３】図１２に続くフローチャート。
【図１４】レコーダ１と携帯電話装置２との間において実行されるキーワード削除処理を示したフローチャート。
【図１５】キーワード指定画面を例示した図。
【図１６】“予約確認指示＋番組識別情報”の表示画面を例示した図。
【図１７】番組識別情報＋番組案内画像”の表示画面を例示した図。
【図１８】“予約情報＋記録フラグ”の表示画面を例示した図。
【図１９】削除操作が行われた場合における番組識別情報の一覧表示画面を例示した図。
【図２０】削除キーワード指定画面を例示した図。
【符号の説明】
【００９７】
１  レコーダ
２  携帯電話装置
３  テレビ局／ラジオ局
５  出力装置
６  インターネット
７  テレビ・ラジオ番組情報サーバ
８  無線通信網
１０、２０  ＣＰＵ
１１、２１  ＲＯＭ
１３  テレビ放送・ラジオ放送通信部
１５、２６  無線ＬＡＮ通信部
１６、２７  赤外線通信部
１７、２５  表示部
１８、２８  操作部
１９、２９  ＲＴＣ
Ｍ１１  キーワード記憶部
Ｍ１２  予約情報記憶部
Ｍ１３  記録データ記憶部
Ｍ２１  電話番号記憶部  
Ｍ２２  記録データ記憶部
【図１】
2008301319.tif 000003
【図２】
2008301319.tif 000004
【図３】
2008301319.tif 000005
【図４】
2008301319.tif 000006
【図５】
2008301319.tif 000007
【図６】
2008301319.tif 000008
【図７】
2008301319.tif 000009
【図８】
2008301319.tif 000010
【図９】
2008301319.tif 000011
【図１０】
2008301319.tif 000012
【図１１】
2008301319.tif 000013
【図１２】
2008301319.tif 000014
【図１３】
2008301319.tif 000015
【図１４】
2008301319.tif 000016
【図１５】
2008301319.tif 000017
【図１６】
2008301319.tif 000018
【図１７】
2008301319.tif 000019
【図１８】
2008301319.tif 000020
【図１９】
2008301319.tif 000021
【図２０】
2008301319.tif 000022